(57)【要約】【課題】  光ディスクを用いた記録再生装置において、光ディスク装着時の起動時間を短縮する。【解決手段】  レーザ制御手段と、メカサーボ制御手段と、メカサーボ制御手段およびレーザ制御手段の制御値を得る調整手段と、光ディスク固有の識別情報を取得する識別手段と、調整手段によって得られた制御値と光ディスク固有の識別情報を格納する不揮発性メモリとを有する記録再生装置であって、記録再生装置に光ディスクが装着された際、識別手段により以前装着された履歴がある光ディスクであるか判定し、装着履歴がない場合は調整手段の第１の調整モードで調整を行った後、得られた制御値と装着された光ディスク固有の識別情報を前記不揮発性メモリに格納し、装着履歴がある場合は不揮発性メモリに格納された制御値を使用するとともに、第２の調整モードで調整を行う。【選択図】  図１
2011103160.tif 000002
【特許請求の範囲】
【請求項１】
光ディスクにレーザ光を照射する光ピックアップユニットと前記レーザ光を制御するレーザ制御部と、前記レーザ光を前記光ディスクに集光するためのトラッキングサーボ及びフォーカスサーボを制御する制御部とを有する記録再生装置であって、
前記メカサーボ制御部または前記レーザ制御部の制御値を取得する調整部と、
前記光ディスク固有の識別情報を取得する識別部と、
前記調整部によって得られた制御値と前記識別情報とを対応づけて記憶する記憶部と、を有し、
前記識別部は、前記識別情報を、レーザ光を光ディスク上のトラックに追従させるトラッキング制御を行う前に取得し、
前記調整部は、光ディスクが装着され、かつ、装着された光ディスクの識別情報が前記記憶部に記憶されている場合に、第１の調整処理を行い、光ディスクが装着され、かつ、装着された光ディスクの識別情報が前記記憶部に記憶されていない場合に、第２の調整処理を行うことを特徴とする記録再生装置。
【請求項２】
光ディスクを記録媒体とする光ディスクドライブと、不揮発性メモリを記録媒体とする不揮発性メモリドライブと、前記光ディスクドライブと前記不揮発性メモリを制御するドライブ制御回路を有する記録再生装置において、
前記光ディスクドライブは、前記光ディスクにレーザ光を照射する光ピックアップユニットと前記レーザ光を制御するレーザ制御部と、
前記レーザ光を前記光ディスクに集光するためのトラッキングサーボ及びフォーカスサーボを制御するサーボ制御部と、
前記制御部および前記レーザ制御部の制御値を得る調整部と、
前記光ディスク固有の識別情報を取得する識別部を有し、
前記不揮発性メモリドライブは、前記光ディスクドライブの前記調整部によって得られた制御値と前記識別情報とを対応づけて格納する格納領域を有し、
前記識別部は、前記識別情報を、レーザ光を光ディスク上のトラックに追従させるトラッキング制御を行う前に取得し、
前記調整部は、光ディスクが装着され、かつ、装着された光ディスクの識別情報が前記不揮発性メモリドライブに記憶されている場合に、第１の調整処理を行い、光ディスクが装着され、かつ、装着された光ディスクの識別情報が前記不揮発性メモリドライブ部に記憶されていない場合に、第２の調整処理を行うことを特徴とする記録再生装置。
【請求項３】
請求項１または２記載の記録再生装置であって、第１の調整処理にかかる時間は第２の調整処理にかかる時間より短い記録再生装置。
【請求項４】
請求項１ないし３のいずれか記載の記録再生装置であって、第１の調整処理は第２の調整処理の一部を省略あるいは簡略化した処理であることを特徴とする記録再生装置。
【請求項５】
請求項１または２記載の記録再生装置であって、前記記録再生装置は時刻を取得する時刻取得部を有しており、
前記調整部は、光ディスクが装着され、かつ、装着された光ディスクの識別情報が記憶されており、かつ、前記時刻取得部により取得した時刻と前回調整が行われた時刻との差があらかじめ設定した閾値を越えている場合は、第２の調整処理を行うことを特徴とする記録再生装置。
【請求項６】
請求項１または２記載の記録再生装置であって、
温度を取得する温度取得部を有し、
前記調整部は、光ディスクが装着され、かつ、装着された光ディスクの識別情報が記憶されており、かつ、前記温度取得部により取得した温度と前回調整が行われた温度との差があらかじめ設定した閾値を越えている場合は、第３の調整処理を行うことを特徴とする記録再生装置。
【請求項７】
請求項６記載の記録再生装置であって、前記第３の調整処理は、前記第１の調整処理と、前記温度に依存する制御値を取得する処理と含むことを特徴とする記録再生装置。
【請求項８】
請求項２記載の記録再生装置であって、前記不揮発性メモリに制御値と光ディスク固有の識別情報を格納する格納領域を設け、前記格納領域に複数の光ディスクの情報を記憶することを特徴とする記録再生装置。
【請求項９】
請求項１または２記載の記録再生装置であって、
前記識別部は、光ディスクに記録されたバーストカッティングエリアから前記識別情報を取得することを特徴とする記録再生装置。
【請求項１０】
請求項１または２記載の記録再生装置であって、
前記識別部は、ＲＦＩＤタグの信号を受信する受信部であり、
前記光ディスクに備えられるＲＦＩＤタグから前記識別情報を受信すること特徴とする記録再生装置。
【請求項１１】
請求項１または２記載の記録再生装置であって、
前記光ディスクはディスクカートリッジに収納され、該ディスクカートリッジが前記識別情報を示す部位を備え、
前記識別部は、前記ディスクカートリッジから前記識別情報を取得することを特徴とする記録再生装置。
【請求項１２】
光ディスクにレーザ光を照射する光ピックアップユニットと前記レーザ光を制御するレーザ制御部と、前記レーザ光を前記光ディスクに集光するためのトラッキングサーボ及びフォーカスサーボを制御するサーボ制御部とを有する記録再生装置であって、
前記サーボ制御部または前記レーザ制御部の制御値を取得する調整部と、
前記光ディスクを識別するための識別情報を生成する生成部と、
前記調整部によって得られた制御値と前記識別情報とを対応づけて記憶する記憶部と、を有し、
前記調整部により制御値を取得した場合に、光ディスクに前記識別情報を記録することを特徴とする記録再生装置。
【請求項１３】
請求項１２に記載の記録再生装置であって、
前記識別情報を取得する識別部を備え、
前記調整部は、光ディスクが装着され、かつ、装着された光ディスクの識別情報が前記記憶部に記憶されている場合に、第１の調整処理を行い、光ディスクが装着され、かつ、装着された光ディスクの識別情報が前記記憶部に記憶されていない場合に、第２の調整処理を行うことを特徴とする記録再生装置。
【発明の詳細な説明】
【技術分野】
【０００１】
本発明は記録再生装置の制御方法に関するものである。また、その一例としては、本発明は、記録再生装置の起動時間短縮を図るものである。
【背景技術】
【０００２】
起動時間を短縮する方法として、特許文献１に記載がある。特許文献１では、調整を行った光ディスクの制御値を光ディスク装置の記憶手段に記憶し、次回の起動時には記憶手段の制御値を使用することで調整処理を省略し、起動時間の短縮を図っている。
【０００３】
ところで、特許文献２には光ディスクに記録再生する第１の装置と光ディスク以外の記録媒体に記録再生する第２の装置を搭載した記録再生装置について記載がある。この記録再生装置では、第１の装置と第２の装置を記録再生装置内のホストインターフェースが制御し、第１の装置と第２の装置間のデータ転送を行っている。
【０００４】
また、特許文献３には、不揮発性記憶部にＣＤメディアと学習情報を対応させて記憶させることが記載されている。また、該文献には、ＣＤメディアの交換時または起動時に、ＣＤメディアのＴＯＣ情報を読み出し、不揮発性記憶部に対応する学習情報が記憶されている場合には、対応する学習処理を省略することが記載されている。
【先行技術文献】
【特許文献】
【０００５】
【特許文献１】特開２００２-７４６９４
【特許文献２】特開２００６-５９３６５
【特許文献３】特開２００２−１９７６８３
【発明の概要】
【発明が解決しようとする課題】
【０００６】
光ディスクを用いた記録再生装置において、光ディスクを装着してから記録あるいは再生が可能になるまでの時間の短縮、いわゆる起動時間短縮はユーザの操作性向上をもたらす。しかし、光ディスクの特性ばらつきにより記録再生装置のメカサーボ制御、レーザ制御の最適な制御値は光ディスク毎に異なるため、光ディスクを記録再生装置に装着した際に毎回調整処理を行う必要がある。この調整にかかる時間が起動時間に含まれており、起動時間短縮には調整時間の短縮が必要となる。
【０００７】
特許文献１では、記憶手段に記憶した制御値を使用するケースとして、電源遮断中に光ディスクの挿抜がない場合の次回電源投入時との記載がある。この場合、電源が入った状態での光ディスク交換の際には通常調整を行う必要があることになる。例えばパーソナルコンピュータに接続された光ディスク装置の場合、パーソナルコンピュータを使用中に光ディスクを装着する場合は通常調整が実施されることになり起動時間の短縮が行えない可能性がある。
【０００８】
また、特許文献２においても、起動時間の短縮については記載されていない。
【０００９】
また、特許文献３に記載の装置では、学習処理を短縮化するために、ＴＯＣ情報を再生することが必要になる。しかし、ＴＯＣ情報は、光ディスクのトラックに記録されているため、ＴＯＣ情報を再生させるには、例えば、フォーカス制御、トラッキング制御を行うための各種調整が必要となり、それ以上に起動時間を短縮することが困難である可能性がある。
【００１０】
本発明の目的は、光ディスクを装着してから記録あるいは再生可能になるまでの起動時間を短縮することが可能となる記録再生装置を提供することである。
【課題を解決するための手段】
【００１１】
上記の目的は、例えば、特許請求の範囲に記載の構成により解決される。
【発明の効果】
【００１２】
本発明により、光ディスクを記録再生装置に装着してから記録あるいは再生可能になるまでの起動時間の短縮が可能になる。
【図面の簡単な説明】
【００１３】
【図１】第１の実施例を示す図で、記録再生装置の構成を示した図である。
【図２】第２の実施例を示す図で、記録再生装置の構成を示した図である。
【図３】光ディスク装着時の記録再生装置の動作フローを示した図であり、光ディスク固有情報取得前に前調整を行う実施例を説明した図である。
【図４】光ディスク装着時の記録再生装置の動作フローを示した図であり、調整実施前に光ディスク固有情報取得を行う実施例を説明した図である。
【図５】光ディスク装着時の記録再生装置の動作フローを示した図であり、時刻管理を行った実施例を説明した図である。
【図６】不揮発性メモリ内のディスクデータエリアについて説明した図である。
【図７】光ディスク装着時の記録再生装置の動作フローを示した図であり、本実施例は、調整を行ったときの温度に基づいて、ディスク識別を行う実施例を説明する図である。
【図８】ＲＦＩＤタグを使用してディスク識別を行う実施例を説明した図である。
【図９】ディスクカートリッジに設けられた固有ＩＤ部位を使用してディスク識別を行う実施例を説明した図である。
【図１０】光ディスク装着時の記録再生装置の動作フローを示した図であり、光ディスクに固有情報を書き込むことで、ディスク識別を行う実施例を説明した図である。
【発明を実施するための形態】
【００１４】
以下、実施例について図１〜図１０を用いて説明する。
【００１５】
図１は第１の実施例の記録再生装置の構成を示した図である。
【００１６】
図中、１は記録再生装置を示す。
【００１７】
光ピックアップユニット４から出射されたレーザ光は、光ディスク９上のデータ記録面で反射され、光ピックアップユニット４で受光する。光ピックアップユニット４は受光したレーザ光から得た信号を電気信号に変換し信号処理回路５に入力する。
【００１８】
信号処理回路５はシステム制御回路１１、レーザ制御回路１０、メカサーボ回路１３、ワークメモリ１４、不揮発性メモリ１５、外部インターフェース１２、変調復調回路２３を搭載する。また、信号処理回路５は、光ピックアップユニット４から得た信号により記録再生装置１の動作を制御する。例えば、レーザ制御回路１０は、レーザ光のパワー制御や発光タイミング制御を行う。また、メカサーボ回路１３は光ディスク９を回転するスピンドルモータ６、光ピックアップユニット４をディスク半径方向に動かすスレッドモータ７、光ピックアップユニット４内のアクチュエータ動作を制御するためにドライバ回路８に制御信号を出力している。また、メカサーボは、トラッキングサーボとフォーカスサーボとを含むものとする。変復調回路２３は、光ディスク再生時に光ピックアップユニット４の信号の復調処理を行う。また、システム制御回路１１が信号処理回路５に含まれる各回路を管理および制御している。またワークメモリ１４は高速アクセス可能なメモリである。また、不揮発性メモリ１５は電源切断時にもデータ保持可能なメモリである。記録再生装置１が電源切断中でも保持したいデータについては不揮発性メモリ１５に保存することで、次回電源投入後も使用可能である。また、信号処理回路５が、トラッキング制御と、フォーカス制御とを行う制御部として機能する。また、信号処理回路５が、トラッキングサーボの調整と、フォーカスサーボの調整と、レーザ光の調整を行う調整部として機能する。
【００１９】
また、記録再生装置１には、装着された光ディスクの固有情報を取得することにより光ディスクの識別を行う識別手段を搭載している。本実施例では光ディスクのバーストカッティングエリアに記録されたディスク固有ＩＤを読み込むことにより光ディスクを識別することで、専用センサや回路は必要としない構成になっている。なお光ディスクの固有情報を取得する手段としては、光ディスク上に記録されている情報を光ピックアップユニットで読み出すことにより行っても、またそれ以外の方法により行ってもよい。
【００２０】
次に、光ディスク装着時の調整処理について説明する。光ディスクの特性ばらつきを吸収するため光ディスク毎にレーザ制御回路１０、メカサーボ回路１３の制御値を得るための調整処理を行う必要がある。本実施例の記録再生装置１では、システム制御回路１１がレーザ制御回路１０、メカサーボ回路１３の制御パラメータを変化させ、光ディスク９から得られる再生信号の品質に基づいて、好適な制御値を得る処理を行っている。この調整処理の例としては、例えば、トラッキング誤差信号に対するゲインの調整がある。また、この調整処理のほかの例としては、球面収差補正素子の補正量の調整や光ディスクと対物レンズとの相対角を補正するチルト調整などがある。また、光ディスク９から得られる信号の品質としては、例えば、トラッキング誤差信号振幅やエラーレートといった指標がある。
【００２１】
本実施例では、調整処理を行って得られた制御値は、不揮発性メモリ１５のディスクデータエリアに光ディスク９の固有情報とともに格納する。
【００２２】
次に、図２により本発明の第２の実施例の記録再生装置１の構成を説明する。
【００２３】
第２の実施例の記録再生装置１は光ディスクドライブ２と不揮発性メモリドライブ３が搭載されており、それぞれドライブ制御回路１６に接続されている。ドライブ制御回路１６は光ディスクドライブ２と不揮発性メモリドライブ３の制御、データの入出力を行う。また、ドライブ制御回路１６は、外部インターフェース１２を介してホストと通信を行う。光ディスクドライブ２の構成は、前記第１の実施例とほぼ同じであり、光ディスク装着時に調整処理を行い制御値を取得する。また不揮発性メモリドライブ３には、光ディスクドライブ２で得た制御値と固有情報とを格納するディスクデータエリアを有しており、ドライブ制御回路１６を介して入出力を行っている。
【００２４】
第１の実施例では、記録再生装置１が光ディスクドライブであり、制御値を格納する不揮発性メモリは光ディスクドライブに内蔵されているものとする。一方、第２の実施例では、記録再生装置１に光ディスクドライブ２と不揮発性メモリドライブ３の２つが搭載されており、光ディスクドライブ２の制御値はドライブ制御回路１６を介して不揮発性メモリドライブに格納される。記録再生装置１の構成は第１の実施例と第２の実施例において異なっているが、光ディスクドライブで調整を行って制御値を取得し、記録再生装置１内の不揮発性メモリに制御値とディスク固有情報を格納する動作は同じになる。つまり、次に説明する本発明の動作に関する実施例については第１の実施例の構成であっても、第２の実施例の構成であっても同様である。
【００２５】
次に、図３の動作フローを用いて、記録再生装置１の動作に関する実施例について説明する。なお、図３の動作フローは、記録再生装置１が、光ディスク固有情報取得前に前調整を行う実施例を説明した図である。
【００２６】
記録再生装置１に光ディスクを挿入（１０２）すると、記録再生装置１は装着された光ディスクに適正なレーザ光を発光するための物理判別、および光ディスクの記録面にレーザ光の焦点を合わせるための前調整処理を行う（１０３）。なお、物理判別とは、例えば、ＤＶＤ用のレーザで十分な反射光を得られるか、ＢＤ用のレーザで十分な反射率を得られるかを検出することによって行う処理である。また、物理判別とは、例えば、光ディスク９の記録面のトラックに記録されている情報を再生、復号して光ディスク９の情報を取得する処理とは異なる。また、前処理とは、例えば、フォーカススイープ、フォーカスサーチを行い、光ディスク９における記録面の厚み方向の位置を検出する処理を含む。つまり、前処理は、フォーカスサーボの粗調整処理を含む。当該調整によって、記録再生装置１は、レーザ光の焦点を、光ディスク９の記録面に合焦させることが出来る精度のフォーカスサーボの制御値を取得する。
【００２７】
次に、記録再生装置１は、レーザ光をバーストカッティングエリアに移動して光ディスク固有ＩＤを読み込む（１０４）。次に、記録再生装置１は、取得した固有ＩＤと不揮発性メモリ内の光ディスクの固有ＩＤを比較し、今回装着した光ディスクが過去に装着した履歴があるか判定する（１０５）。該当する固有ＩＤがない場合は、記録再生装置１は、装着履歴がないものとして通常調整処理を行う（１０８）。なお、処理１０８は、トラッキングサーボの調整や、フォーカスサーボの微調整を含む。また、処理１０８は、球面収差の補正量の調整処理を含む。次に、記録再生装置１は、調整終了により制御値が得られた場合に、制御値とディスク固有ＩＤを不揮発性メモリに格納（１０９）して起動処理を終了する。また、判定処理（１０５）により該当する固有ＩＤが見つかった場合は、記録再生装置１は、装着履歴ありとし不揮発性メモリより前回の調整による制御値を取得する（１０６）。そして、前回の制御値を使用し、通常調整の一部を省略あるいは、調整を簡易化し、短時間で調整を終了させ、起動処理を終了する。なお、調整を簡易化するとは、調整値の振り幅を通常の調整処理より小さくし、調整に用いる指標値のサンプリング数も通常の調整処理より少なくした上で、調整処理を実行するという意味を含むものとする。
【００２８】
ここで、調整が簡易化できる理由を以下説明する。前回の調整結果から経時変化等による制御値の変化があったとしても、その変化量はディスク規格上の特性ばらつきより小さいと推定できる。このため、前回制御値を中心として制御値を検索することによりサンプリングデータが少なくても適正な制御値を取得できることによる。
【００２９】
また、バーストカッティングエリアに記録された情報については、フォーカスサーボをかけレーザ光をディスク面上に合焦することが出来れば、トラッキング制御を行わずとも再生させることが可能である。一方、例えば、ＴＯＣ情報等、光ディスク９のトラックに記録されている情報を再生させるには、フォーカスサーボの調整のみならず、トラッキングサーボの調整も先に行い、フォーカスサーボ、トラッキングサーボをかけることが必要となる。以上のことから、本光ディスク装置は、例えば、光ディスク９のトラックに記録された情報に基づいて、光ディスク９の過去の使用の有無を検出するよりも、処理を高速化することが可能となる。なお、「フォーカスサーボをかける」、「トラッキングサーボをかける」との表現は、「フォーカス制御を行う」、「トラッキング制御を行う」と言い換えても良い。
【００３０】
また、以上説明したように、記録再生装置１は、処理１０３にてフォーカスサーボの粗調整を行った後に、固有ＩＤを取得する。言い換えると、記録再生装置１は、処理１０８にてトラッキングサーボの調整が行われる前に、固有ＩＤを取得する。また、さらに言い換えると、記録再生装置１は、トラッキング制御が行われる前に固有ＩＤを取得する。これにより、例えば、トラッキング制御を行った後に、固有ＩＤを取得する処理に比べて、処理時間を短縮することが可能となる。
【００３１】
前記実施例の動作は、バーストカッティングエリアの固有ＩＤを取得して識別を行っていた。このため、適正なレーザ光の発光のための判別処理やレーザ光の焦点を合わせるための前調整が必要であった。しかし、光ディスク９上に記録された情報以外を用いて光ディスクの識別を行う場合は、さらに起動時間の短縮することが可能となる。
【００３２】
ここで、図４の動作フローを用いて、記録再生装置１の動作に関する実施例について説明する。なお、図４の動作フローは、記録再生装置１が、調整実施前に前調整を行う実施例を説明した図である。
【００３３】
該図においては、図３におけるディスク物理判定、前調整処理（１０３）、ディスク固有情報取得（１０４）が省略されている。一方、ディスク固有情報取得（２０１）処理が追加されている。
【００３４】
当該処理では、例えば、ユーザーの指定操作に基づいて、固有情報を取得するものとする。
【００３５】
図４に示す動作によると、ディスク物理判定、前調整処理（１０３）を省略することが出来るためさらに起動時間の短縮を図ることができる。
【００３６】
次に、図５の動作フローによって、時間管理を加えた実施例について説明する。
【００３７】
装着履歴がある光ディスクであっても、前回調整時から一定時間経過している場合、格納されている制御値が適正でないことがある。これは、時間が経過することで記録再生装置１の部品や光ディスク９に経時変化が発生し、以前と特性が変化することによって発生する。一方、本実施例では、取得済みの制御値に対する時間管理を行うことによって上記の問題に対応する。
【００３８】
図５の動作フローにおいては、まず記録再生装置１には時刻を取得する時刻取得手段を設けておく。また、該図において、図１の動作フローと同様の処理については、一部説明を省略する。なお、本動作フローにおいては、例えば、ディスク固有情報および制御値を不揮発性メモリに格納する際、調整を行ったときの時刻も同時に格納する処理（３０２）を追加する。
【００３９】
記録再生装置１は、装着された光ディスク９に対する装着履歴が、不揮発性メモリに記憶されているか否かを判定する（１０５）。処理１０５にてＮｏの場合、記録再生装置１は、格納されている制御値を取得した時刻と現在の時刻を比較し、経過時間があらかじめ設定した時間内であるか判定する（３０１）。ここで一定時間内であれば簡易調整処理（１０６）を実施し起動処理を終了する。一定時間内でない場合は、記録再生装置１は、通常調整を行った（１０７）する。その後、記録再生装置１は、不揮発性メモリ上のディスク固有情報、制御値、調整を行った時刻のデータを更新（３０２）して起動終了する。この方法により経時変化による特性変化に対応することが可能になる。
【００４０】
次に温度管理を加えた実施例について説明する。装着履歴がある光ディスクであっても、前回調整時の環境温度が現在の温度とかけ離れている場合、制御値が適正でないことがある。これは温度に依存する制御値があるためである。なお、温度に依存する特性に関係した制御値には、例えば光ディスクと対物レンズの相対角を補正するチルト調整が該当する。これに対し、本実施例では取得済みの制御値の温度管理を行うことによって対応する。また、本処理を実行する記録再生装置１は、温度を取得する温度取得手段（図示せず）を備えるものとする。
【００４１】
ここで、図７の動作フローを用いて、記録再生装置１の動作に関する実施例について説明する。本実施例は、調整を行ったときの温度に基づいて、ディスク識別を行う実施例を説明する。
【００４２】
該図において、図３の動作フローと同様の処理については、同じ符号を付し、必要の無い説明は省略する。なお、本動作フローにおいては、ディスク固有情報および制御値を不揮発性メモリに格納する際、調整を行ったときの温度も同時に格納する処理（４０１）を追加する。
【００４３】
記録再生装置１は、装着された光ディスク９に対する装着履歴が、不揮発性メモリに記憶されているか否かを判定する（１０５）。処理１０５にてＹｅｓの場合、記録再生装置１は、格納されている制御値を取得した時の温度と現在の温度との温度差を検出し、あらかじめ設定した温度差内であるか判定する（４０１）。ここで温度差が設定値内であれば、記録再生装置１は、簡易調整処理を実施し（１０７）起動処理を終了する（１１０）。一方、処理４０１でＮｏの場合、温度差が設定値を超えている場合は、記録再生装置１は、温度依存値調整処理を実施する（４０２）。ここで、温度依存値調整処理とは、簡易調整に加え温度に依存する特性に関係した調整を示す。不揮発性メモリ上のディスク固有情報、制御値、調整を行った時の温度のデータを更新して起動終了する。この方法により温度変化による特性変化に対応することが可能になる。
【００４４】
次に、図６を用いて、不揮発性メモリ内に格納するディスクデータについて説明する。なお、ディスクデータとは、光ディスク９毎の固有ＩＤと、調整結果を示す情報とが対応づけられた情報を示す。また、ディスクデータは、上記の情報に、さらに調整時刻を示す情報または調整時温度を示す情報が対応づけられた情報も含む。
【００４５】
記録再生装置１内の不揮発性メモリは有限であり、ディスクデータ以外の項目についても格納する。このため、図６に示すように不揮発性メモリ１５内にディスクデータエリア１７を確保し、ディスクデータエリア１７のサイズ以下のディスクデータを複数格納する。装着履歴の検索は格納されたディスクデータの固有ＩＤを検索し、装着されたディスクの固有ＩＤと一致するディスクデータの有無で行う。なお、ディスクデータエリア１７のサイズはあらかじめ設定してもよいし、不揮発性メモリの空きサイズに応じて動的に変えてもよい。また、ディスクデータエリア１７の空きサイズが少なくなった場合、記録再生装置１は、ディスクデータの取得時刻が古いものから消去して空きサイズを増やしてもよい。また、記録再生装置１は、ディスクデータを利用する頻度を記憶しておき、利用頻度が少ないディスクデータを消去して空きサイズを増やしてもよい。
【００４６】
次に、図１０を用いて、光ディスク識別手段に関する他の実施例について説明する。
【００４７】
光ディスクを識別するためには、光ディスクに固有のＩＤが必要になる。しかし、光ディスク９の規格によっては、光ディス1枚毎の固有のＩＤが、製造時には記録されていないか、あるいは、記録されていても復号できない場合がある。これに対して、本実施例の記録再生装置１は、固有のＩＤを生成、出力するＩＤ生成部（図示しない）を備えるものとする。また、本実施例の記録再生装置は、生成されたＩＤを記録する構成を備えるものとする。以下、図１０の動作フローについて説明する。
【００４８】
図１０中、記録再生装置１は処理１０８にて、通常調整処理を実施した後、光ディスクに固有のＩＤの書き込む処理を行う（５０１）。そして、記録再生装置１は、不揮発性メモリに、固有ＩＤおよび制御値を格納する。これにより、光ディスクが装着された際には光ディスク上に記録された固有ＩＤを読み込むことで光ディスクの識別を行うことができる。
【００４９】
また、本実施例において、光ディスク９は２層以上の記録層を備える多層光ディスクであってもよい。また、本実施例の記録再生装置１は、装着された光ディスク９が多層光ディスクであり、かつ、当該多層光ディスクに処理５０１で記録される固有ＩＤが記録されている場合に、当該固有ＩＤが記録されていた層については通常調整処理１０８を行い、他層については、調整を省略または簡略化する構成としてもよい。
【００５０】
光ディスク上のデータの読み込みを行うためには、フォーカスサーボの制御値、トラッキングサーボの制御値、レーザ制御値の調整が必要である。しかし、多層光ディスクに対しては、固有ＩＤが書き込まれた記録面のみ調整処理を行って制御値を取得し、他層の調整を簡易化することで、全体の調整時間の短縮ができる。
【００５１】
次に、図８を用いて、光ディスク識別手段に関する他の実施例について説明する。
【００５２】
本実施例においては、光ディスク９が固有ＩＤを書き込んだＲＦＩＤタグ１８を備える。また、記録再生装置１は、受信回路１９を備える。光ディスク９を装着した時点で、ＲＦＩＤタグ１８の固有ＩＤを受信回路１９で読み取ることにより光ディスク９の識別を行う。この方法では、光ディスク識別前の前調整が不要になるため起動時間の短縮を図ることができる。
【００５３】
次に、図９を用いて、光ディスク識別手段に関する他の実施例について説明する。
【００５４】
光ディスクはディスクカートリッジ２１に内包されている。ディスクカートリッジ２１には光ディスクの固有ＩＤを書き込んだ部位２２を設ける。固有ＩＤを書き込む部位２２としては、バーコードやＱＲコードなどを印刷で行ってもよいし、不揮発性メモリを搭載して行ってもよい。また、レーザ光を用いて、光学的に視認可能な情報を光ディスク９の記録面に焼き付けても良い。記録再生装置１にはディスクカートリッジ２１の固有ＩＤを読み込む読み取り手段２０を搭載し、ディスクカートリッジ２１を装着した時点で、固有ＩＤ部位２２を読み取り手段２０で読み取ることにより光ディスクの識別を行う。この方法でも、光ディスク識別前の前調整が不要になるため起動時間の短縮を図ることができる。
【００５５】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【００５６】
また、上記の各構成は、それらの一部又は全部が、ハードウェアで構成されても、プロセッサでプログラムが実行されることにより実現されるように構成されてもよい。また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００５７】
１…記録再生装置
２…光ディスクドライブ
３…不揮発性メモリドライブ
４…光ピックアップユニット
５…信号処理回路
６…スピンドルモータ
７…スレッドモータ
８…ドライバ回路
９…光ディスク
１０…レーザ制御回路
１１…システム制御回路
１２…外部インターフェース
１３…メカサーボ回路
１４…ワークメモリ
１５…不揮発性メモリ
１６…ドライブ制御回路
１７…ディスクデータエリア
１８…ＲＦＩＤタグ
１９…受信回路
２０…固有ＩＤ読み取り手段
２１…ディスクカートリッジ
２２…固有ＩＤ
２３…変復調回路
【図１】
2011103160.tif 000003
【図２】
2011103160.tif 000004
【図３】
2011103160.tif 000005
【図４】
2011103160.tif 000006
【図５】
2011103160.tif 000007
【図６】
2011103160.tif 000008
【図７】
2011103160.tif 000009
【図８】
2011103160.tif 000010
【図９】
2011103160.tif 000011
【図１０】
2011103160.tif 000012